(57)【要約】【課題】長期間に亘り鳥類による巣の設置を抑制する効果を維持できる鳥害防止器を提供する。【解決手段】  風力を受けて回転する回転台２と、回転台２に設けられて回転台２とともに回転する可動針状部材２０と、回転台２を回転可能に支持する軸部３１が設けられた支持台３と、軸部３１に固定された固定台４と、回転台２とともに回転する可動針状部材２０と非干渉な形状及び配置で固定台４に設けられる固定針状部材４０を備え、回転台２は、軸部３１に対して偏芯した状態で回転可能に支持される軸受部２２を備える。【選択図】  図１
2012157296.tif 000002
【特許請求の範囲】
【請求項１】
風力を受けて回転する回転台と、
前記回転台に設けられて前記回転台とともに回転する可動針状部材と、
装着対象物に取り付けられる支持台と、
前記回転台を前記支持台に対して偏芯した状態で回転可能に支持する軸受部と
を備えたことを特徴とする鳥害防止器。
【請求項２】
前記可動針状部材は、前記回転台の円周方向の外側に向かって開く形状で、前記回転台の円周方向に沿って設けられる
ことを特徴とする請求項１記載の鳥害防止器。
【請求項３】
前記軸部に固定された固定台と、
前記回転台とともに回転する前記可動針状部材と非干渉な形状及び配置で前記固定台に設けられる固定針状部材と
を備えたことを特徴とする請求項１または２記載の鳥害防止器。
【請求項４】
前記固定針状部材は、表面に粘着性を持たせた
ことを特徴とする請求項３記載の鳥害防止器。
【請求項５】
前記回転台は、風を受ける羽根部を備えた
ことを特徴とする請求項１〜請求項４の何れか１項に記載の鳥害防止器。
【請求項６】
前記回転台は、磁石の反発力で浮上させて回転可能に支持される
ことを特徴とする請求項１〜請求項５の何れか１項に記載の鳥害防止器。
【発明の詳細な説明】
【技術分野】
【０００１】
本発明は、鳥類が鉄塔等に巣を設置することを防止する鳥害防止器に関する。
【背景技術】
【０００２】
送電線の支持等で使用される鉄塔には、カラスが巣を作る場合が多い。巣の材料としては、木の枝や導電性のあるハンガーが用いられている。このような鳥類の巣が何らかの外的要因で飛散したり落下したりすると、障害が発生する可能性がある。
【０００３】
このため、鉄塔等に鳥類が近づかないようにする鳥害防止器が従来から提案されており、可撓性を有したネットに針状体を設け、様々な形状の対象物に取り付けられるようにした技術が提案されている（例えば、特許文献１参照）。
【０００４】
鳥害防止器を可動にする技術も提案され、所定の形状の物品を紐で吊るし、風あるいはモータの駆動力で回転させる技術が提案されている（例えば、特許文献２参照）。また、ホログラムシートを軸支し、風で回転させる技術が提案されている（例えば、特許文献３参照）。更に、ケーブルに固定される内輪と、内輪に対して回転可能で、風を受ける羽根が設けられた外輪との間に磁石を設け、磁石の反発力で内輪と外輪との間の摩擦力を軽減する技術が提案されている（例えば、特許文献４参照）。
【先行技術文献】
【特許文献】
【０００５】
【特許文献１】実用新案登録第３０８３７１１号公報
【特許文献２】特開２００４−３５０６８３号公報
【特許文献３】特開２００６−２０５９８号公報
【特許文献４】特開平８−３４０６２０号公報
【発明の概要】
【発明が解決しようとする課題】
【０００６】
鳥類の中で特にカラスは知能が高いと考えられ、鳥害防止器を設置しても、時間の経過とともに慣れが生じると考えられる。このため、特許文献１に記載の技術のように、針状体を対象物に固定する構成では、巣の設置を抑制する効果が得られなくなる。
【０００７】
また、特許文献２に記載の技術では、物品が紐で吊るされているため、鉄塔に設置すると、風等で紐が鉄塔に絡み、物品が動く動作が行えなくなり、障害の要因にもなる。更に、紐で物品を吊るす構成では、紐の耐久性が十分ではなく、長期間に亘り使用することができない。
【０００８】
特許文献３及び特許文献４に記載の技術では、ホログラムシート等の物品が一様に回転するため、やはり時間の経過とともに慣れが生じると考えられ、巣の設置を抑制する効果が得られなくなる。
【０００９】
本発明は、このような課題を解決するためなされたもので、長期間に亘り鳥類による巣の設置を抑制する効果を維持できる鳥害防止器を提供することを目的とする。
【課題を解決するための手段】
【００１０】
上述した課題を解決するため、本発明は、風力を受けて回転する回転台と、回転台に設けられて回転台とともに回転する可動針状部材と、装着対象物に取り付けられる支持台と、回転台を支持台に対して偏芯した状態で回転可能に支持する軸受部とを備えた鳥害防止器である。
【００１１】
本発明の鳥害防止器は、鉄塔等の装着対象物に取り付けられ、風を受けると回転台が回転する。回転台には針状部材が設けられ、回転台が支持台に対して偏芯した状態で回転することで、針状部材の軌跡が変化する。
【発明の効果】
【００１２】
本発明によれば、針状部材が設けられた回転台が偏芯した状態で回転するので、針状部材の軌跡を変化させることができ、鳥害防止器が取り付けられた鉄塔等に鳥類が近づいて巣を作ることを防止できる。また、回転台が風力を受けて回転するので、動力が不要であり、長期間に亘る使用が可能である。
【図面の簡単な説明】
【００１３】
【図１】本実施の形態の鳥害防止器の一例を示す側面図である。
【図２】本実施の形態の鳥害防止器の一例を示す平面図である。
【図３】本実施の形態の鳥害防止器の一例を示す斜視図である。
【図４】本実施の形態の鳥害防止器の一例を示す側断面図である。
【図５】本実施の形態の鳥害防止器の動作例を示す平面図である。
【図６】本実施の形態の鳥害防止器の取付構造の一例を示す一部側断面図である。
【図７】本実施の形態の鳥害防止器の設置形態の一例を示す斜視図である。
【図８】本実施の形態の鳥害防止器の設置形態の他の例を示す斜視図である。
【発明を実施するための形態】
【００１４】
以下、図面を参照して、本発明の鳥害防止器の実施の形態について説明する。
【００１５】
＜本実施の形態の鳥害防止器の構成例＞
図１は、本実施の形態の鳥害防止器の一例を示す側面図、図２は、本実施の形態の鳥害防止器の一例を示す平面図、図３は、本実施の形態の鳥害防止器の一例を示す斜視図、図４は、本実施の形態の鳥害防止器の一例を示す側断面図である。また、図５は、本実施の形態の鳥害防止器の動作例を示す平面図、図６は、本実施の形態の鳥害防止器の取付構造の一例を示す一部側断面図である。
【００１６】
本実施の形態の鳥害防止器１Ａは、風力を受けて回転する回転台２と、回転台２を回転可能に支持する支持台３と、支持台３に固定される固定台４を備える。回転台２は、本例では円板状の外形で、軸方向に沿った一の面、本例では上面に複数本の可動針状部材２０が設けられる。回転台２と可動針状部材２０は、本例ではステンレス材料で構成される。
【００１７】
可動針状部材２０は、本例では、円周方向の外側に向かって開くように曲げられた形状で、回転台２の円周方向に沿って並べて取り付けられる。可動針状部材２０は、複数の可動針状部材２０の先端が、回転台２の軸方向に沿った一の方向、本例では上方を向くように曲げられた形状でも良いし、回転台２の円周方向の外側に向くように曲げられた形状でも良いし、異なる方向を向くように不定形に曲げられた形状でも良い。また、可動針状部材２０は直線状でも良く、曲線状と直線状の可動針状部材２０が混在する構成でも良い。
【００１８】
回転台２は、風を受ける羽根部２１が設けられる。羽根部２１は、回転台２の外周面の複数個所に設けられ、風を受けることで、回転台２を円周方向に回転させる力を生じさせる。なお、羽根部２１は、回転台２の上面に設ける構成としても良く、回転台２の外周面と上面の両方に設ける構成としても良い。また、羽根部２１は、回転台２の支持台３の形状によっては、回転台２の下面に設ける構成としても良く、回転台２の外周面と下面の両方に設ける構成、回転台２の上面と下面の両方に設ける構成、回転台２の外周面と上面と下面のすべてに設ける構成としても良い。
【００１９】
回転台２は、支持台３に回転可能に支持される軸受部２２が設けられる。軸受部２２は、回転台２の内周側に設けた円形の空間で構成される。回転台２は、軸方向に沿った他の面、本例では下面に第１の軸受面２３が設けられ、第１の軸受面２３に磁石２４が設けられる。磁石２４は摩擦軽減手段の一例で、軸受部２２の開口に沿って平面で構成される第１の軸受面２３に、回転台２の円周方向に沿って取り付けられる。
【００２０】
また、回転台２は、軸方向に沿った上面に第２の軸受面２５が設けられ、第２の軸受面２５に磁石２６が設けられる。磁石２６は摩擦軽減手段の一例で、軸受部２２の開口に沿って平面で構成される第２の軸受面２５に、回転台２の円周方向に沿って取り付けられる。
【００２１】
支持台３は、本例ではステンレス材料で構成され、回転台２を回転可能に支持する回転支持面３０と軸部３１が設けられる。回転支持面３０は、回転台２の第１の軸受面２３と対向する上面に、第１の軸受面２３の形状に倣った平面を設けて構成される。
【００２２】
軸部３１は、円筒状の部材が回転支持面３０から突出する形態で設けられる。軸部３１の外径は、回転台２の軸受部２２の内径に対して小径で構成され、軸部３１の外周面と軸受部２２の内周面の間に空間が形成される。これにより、回転台２は、軸部３１に対して偏芯した状態で回転可能となる。
【００２３】
支持台３は、回転支持面３０に磁石３２が設けられる。磁石３２は摩擦軽減手段の一例で、回転台２の磁石２４と対向する面が、磁石２４と同極性となる向きで、永久磁石が回転支持面３０の円周方向に沿って取り付けられる。
【００２４】
支持台３は、本例では軸部３１と反対側に取付部３３が設けられる。取付部３３は、図６に示すように、設置対象物としての鉄塔等の屋外構造物の支柱１００に固定される取付金具１０に取り付けられるようにするため、ネジ穴を設けて構成される。
【００２５】
固定台４は、本例ではステンレス材料で構成され、支持台３の軸部３１の先端部に取り付けられ、支持台３と固定台４の間に、回転台２が回転可能に支持される、固定台４は、回転台２の軸方向に沿った上面に、複数本の固定針状部材４０が設けられる。
【００２６】
固定針状部材４０は、複数の固定針状部材４０の先端が、回転台２の軸方向に沿った上方に向けられ、回転する回転台２の可動針状部材２０と干渉しない形状及び配置で、固定台４の上面に取り付けられる。固定針状部材４０は、本例では直線状である、なお、固定針状部材４０の形状は、回転台２の可動針状部材２０と干渉しない形状であれば、直線状に限らず、曲げられた形状でも良い。
【００２７】
固定針状部材４０は、表面が粘着性を持つ加工が施される。固定針状部材４０が直線状であれば、施工前には固定針状部材４０にカバーを付けておき、施工後にカバーを取り外す作業が容易に行えることになり、可動針状部材２０の粘着性が施工の妨げになることが防止される。
【００２８】
固定台４は、回転台２が支持台３の軸部３１から外れることを防止する押さえ部４１が設けられる。押さえ部４１は、回転台２の軸受部２２の内径より大きく、かつ、回転台２が軸部３１に対して偏芯して回転した際の軸受部２２の軌跡より大きな外径を有した円板状の部材で構成される。
【００２９】
押さえ部４１は、回転台２の第２の軸受面２５と対向する回転支持面４２が設けられる。回転支持面４２は、押さえ部４１の下面に、回転台２の第２の軸受面２５の形状に倣った平面を設けて構成される。
【００３０】
固定台４は、回転支持面４２に磁石４３が設けられる。磁石４３は摩擦軽減手段の一例で、回転台２の磁石２６と対向する面が、磁石２６と同極性となる向きで、永久磁石が回転支持面４２の円周方向に沿って取り付けられる。
【００３１】
これにより、回転台２は、支持台３の回転支持面３０に対しては、磁石２４と磁石３２の反発力で浮上した状態となり、固定台４の回転支持面４２に対しては、磁石２６と磁石４３の反発力で浮上した状態となって、軸部３１によって支持されている。
【００３２】
＜本実施の形態の鳥害防止器の取付構造例＞
次に、各図を参照して、本実施の形態の鳥害防止器１Ａの取付構造について説明する。鳥害防止器１Ａは、汎用の吊り金具を流用した取付金具１０を使用して、鉄塔等の支柱１００に取り付けられる。取付金具１０は、ネジ１１を締めることで支柱１００をネジ１１で挟持して、支柱１００の任意の位置に固定可能である。取付金具１０は、各種の設備類を支柱１００に支持可能とするため、ネジ１２が設けられている。
【００３３】
鳥害防止器１Ａは、支持台３に設けた取付部３３が、ネジ１２に締結可能なネジ穴で構成されることで、容易に取付金具１０に取り付け可能である。これにより、取付金具１０が設置可能な位置であれば、取付金具１０を固定する位置や向き、及び取付金具１０の数等に応じて、任意の向き及び任意の数で、鳥害防止器１Ａを支柱１００等に取り付けることが可能である。
【００３４】
＜本実施の形態の鳥害防止器の設置例＞
図７は、本実施の形態の鳥害防止器の設置形態の一例を示す斜視図、図８は、本実施の形態の鳥害防止器の設置形態の他の例を示す斜視図であり、次に、各図を参照して、本実施の形態の鳥害防止器１Ａの設置形態例について説明する。
【００３５】
図７では、屋外構造物である鉄塔１０１に設けられた送電線を支持するアーム部１０２に、鳥害防止器１Ａを設置した例を示す。鳥害防止器１Ａは、アーム部１０２を構成する支柱１００の任意の位置、例えば先端に、図６に示すような形態で取付金具１０が取り付けられ、取付金具１０に支持台３が取り付けられる。なお、図７では、アーム部１０２の先端に、１個の鳥害防止器１Ａを上向きで設置した例を示すが、鳥害防止器１Ａの設置位置、数、向きは本例に限るものではなく、アーム部１０２の形状等に応じて任意に決められる。
【００３６】
図８では、鉄塔１０１の内側に複数の鳥害防止器１Ａを設置した例を示す。鳥害防止器１Ａは、鉄塔１０１を構成する複数の支柱１００の任意の位置に、図６に示すような形態で取付金具１０が取り付けられ、取付金具１０に支持台３が取り付けられる。鳥害防止器１Ａの設置位置、数、向きは本例に限るものではなく、支柱１００の形状等に応じて任意に決められる。
【００３７】
＜本実施の形態の鳥害防止器の動作例＞
次に、各図を参照して、本実施の形態の鳥害防止器１Ａの動作例について説明する。図７あるいは図８に示すような形態で鉄塔１０１に取り付けられた鳥害防止器１Ａは、風等による空気の流れを回転台２の羽根部２１で受けることで、回転台２が回転する。鳥害防止器１Ａは、回転台２に羽根部２１を設けることで、風の力を受けやすくなり、弱い風力でも確実に回転させることができる。
【００３８】
回転台２の軸受部２２は、支持台３の軸部３１に対して大きな径で、軸部３１の外周と軸受部２２の内周の間に空間が形成される。これにより、回転台２は、風向きや風の強さ等の変化で、軸部３１に対して不規則に偏芯した状態で回転する。
【００３９】
このように、回転台２が不規則に偏芯した状態で回転することで、カラス等の鳥類が鳥害防止器１Ａに近づくことに対して恐怖感を与える効果が期待できる。また、回転台２が規則的な回転動作を行うと、鳥類が鳥害防止器１Ａの動きに慣れてしまう可能性があるが、回転台２が不規則に偏芯した状態で回転することで、鳥類の慣れを防止できる効果が期待できる。
【００４０】
更に、回転台２には可動針状部材２０が設けられ、複数の可動針状部材２０が、回転台２の円周方向の外側に向かって開くように曲げられた形状で、回転台２の円周方向に沿って並べて取り付けられる。これにより、可動針状部材２０の先端は、回転台２の径より広がり、鉄塔１０１において鳥害防止器１Ａが取り付けられた部位、及びその周囲に鳥類がとまることが困難になる。
【００４１】
また、回転台２に可動針状部材２０が設けられることで、風を受けての回転台２の回転で可動針状部材２０も回転する、可動針状部材２０が回転することで、鳥類が鉄塔１０１にとまることがより困難になる。そして、回転台２が不規則に偏芯した状態で回転することで、可動針状部材２０の先端は、図５に示すように、回転台２の径より大きな軌跡Ｌで不規則に偏芯した状態で回転する。これにより、鳥類が鉄塔１０１に近づくことが困難になり、鳥害防止器１Ａが取り付けられた鉄塔１０１では、鳥類が巣を作ることが困難になる。
【００４２】
鳥害防止器１Ａでは、回転台２が回転しないような風が弱い状態であっても、上述した回転台２の可動針状部材２０及び固定台４に設けた固定針状部材４０により、鉄塔１０１において鳥害防止器１Ａが取り付けられた部位、及びその周囲に鳥類がとまることが困難になる。また、固定針状部材４０は、表面に粘着性を持つ加工が施されており、動かない部材であっても、鳥類がとまりにくい構造となっている。
【００４３】
更に、鳥害防止器１Ａでは、回転台２は、支持台３の回転支持面３０に対しては、磁石２４と磁石３２の反発力で浮上した状態となり、固定台４の回転支持面４２に対しては、磁石２６と磁石４３の反発力で浮上した状態となって、支持台３に軸部３１によって支持されている。
【００４４】
これにより、回転台２と支持台３、及び回転台２と固定台４との間の摺動による摩擦を軽減することができ、回転台２の回転による抵抗を軽減して、弱い風力でも回転台２を確実に回転させることができる。また、摩擦が軽減されることで回転台２等の磨耗が軽減され、長寿命化を図ることができる。
【００４５】
なお、回転台２の軸受部２２の内周面と、支持台３の軸部３１の外周面に、同極性で対向するように磁石を設けても良く、軸受部２２と軸部３１の摺動による摩擦を軽減できる。但し、軸受部２２と軸部３１が反発する力で、軸受部２２の中心が軸部３１に近づけられる力が回転台２に生じるため、不規則な回転動作は行いにくくなる。ここで、鳥害防止器１Ａの回転部分に磁石が設けられることで、鳥害防止器１Ａの周囲の磁場を変化させ、鳥類の方向感覚を狂わす作用も期待できる。
【００４６】
鳥害防止器１Ａは、回転台２、支持台３及び固定台４が、発錆、腐食が抑えられるステンレス材料で構成されることで、屋外での使用でもあっても長寿命化を図ることができる。
【００４７】
鳥害防止器１Ａは、回転台２の上面にホログラムシートを貼り付ける構成としても良い。回転台２にホログラムシートを貼り付けることで、回転台２の不規則な回転動作と合わせて、鳥類の視覚面に影響を与えて、鳥類が近づくことを困難にする効果が期待できる。なお、ホログラムシートを回転台２の上面に貼り付けることで、図７及び図８に示すような形態で鳥害防止器１Ａが設置されていると、地上からはホログラムシートが視認されず、人等へ影響を及ぼすことを防止できる。
【産業上の利用可能性】
【００４８】
本発明は、取付金具を変更することで、鳥類が巣を作ることが好ましくない様々な屋外構造物に取り付けが可能である。
【符号の説明】
【００４９】
１Ａ・・・鳥害防止器、２・・・回転台、２０・・・可銅針状部材、２１・・・羽根部、２２・・・軸受部、２３・・・第１の軸受面、２４・・・磁石、２５・・・第２の軸受面、２６・・・磁石、３・・・支持台、３０・・・回転支持面、３１・・・軸部、３２・・・磁石、３３・・・取付部、４・・・固定台、４０・・・固定針状部材、４１・・・押さえ部、４２・・・回転支持面、４３・・・磁石
【図１】
2012157296.tif 000003
【図２】
2012157296.tif 000004
【図３】
2012157296.tif 000005
【図４】
2012157296.tif 000006
【図５】
2012157296.tif 000007
【図６】
2012157296.tif 000008
【図７】
2012157296.tif 000009
【図８】
2012157296.tif 000010